(57)【特許請求の範囲】
【請求項１】
ＲＦＩＤチップを備えたパレットと、前記パレットの上端部に多数積層され、締結装置を備えた折り畳み式隔壁と、前記折り畳み式隔壁の上端部を覆うカバーとを含んでなる包装用箱において、
前記折り畳み式隔壁は、
対向する２つの垂直平板と；
前記垂直平板の両端部にヒンジ締結される垂直板と；
前記垂直板と他の垂直板とをヒンジ締結で連結するコネクタと；
前記ヒンジ締結のためのピンと；を含み、
前記垂直板と前記コネクタは一方向にのみ折り畳みが可能となるように一側部に角部を構成し、
前記垂直平板および垂直板の下端部には締結突起板を、上端部には前記締結突起板に嵌合される締結突起溝をそれぞれ構成し、
前記垂直板の下端部には円形ガイドを構成し、
前記垂直板と前記コネクタとをヒンジ締結するピンは前記円形ガイド内に挿入されることを特徴とする、包装用箱。
【請求項２】
前記折り畳み式隔壁の垂直板は、
一側部に形成されたスライディングガイドと、
前記スライディングガイドに挿入されて水平移動するスライディングハンドルとをさらに含み、
前記折り畳み式隔壁を広げて使用する場合には、前記垂直板と他の垂直板との間に位置してコネクタ部分の強度を補強することを特徴とする、請求項１に記載の包装用箱。
【請求項３】
前記折り畳み式隔壁の締結装置は、
垂直平板の一側部に締結装置を収容するポケットと、
前記ポケットに収容され、下端部に締結のための鉤、一側部にロックをそれぞれ備えた締結装置ボディと、
前記ポケットに締結され、一側部に前記スライディングガイドとロック突起を備えた締結装置カバーとを含み、
前記締結装置の締結状態を表示するために、前記締結装置ボディの一側部に２つ以上の色相部を備え、
前記締結装置ボディのロックと前記締結装置カバーのロック突起の構成によって前記締結装置の作動状態をロッキングすることを特徴とする、請求項１に記載の包装用箱。
【請求項４】
前記カバーは、包装用箱をバンディングするときにバンディングワイヤーとの締結性を高めるために、上端部と側面部に多数のバンディング溝を備えたことを特徴とする、請求項１に記載の包装用箱。
【発明の詳細な説明】
【技術分野】
【０００１】
本発明は、包装用箱に係り、より詳しくは、輸出包装用折り畳み式多段箱であって、カバーのバンディング溝、垂直板の形状および円形ガイドを追加して剛性を高めたうえ、締結装置の操作性および索引性を向上させた包装用箱に関する。
【背景技術】
【０００２】
本発明は、包装用箱に関し、使用後に回収が可能な折り畳み式多段箱に関する。
【０００３】
本発明は、様々な固体類または液体類を包装することが可能な箱である。一例として、様々な形態の製品だけでなく、バルク類（穀物、石炭、原油）、ボルトおよびナット、液体類、化学薬品類並びに食品類の包装に使用する。
【０００４】
本発明は、折り畳み式構造をしており、折り畳み式隔壁を広げて多段に積層して包装箱を形成する。
【０００５】
よって、液体類又は半充填された液体類を包装する場合には、箱が膨らむ膨らみ現象が生ずるという問題点が時々発生する。
【０００６】
このような問題点を分析するために、本出願人は、包装用箱の構造解析および応力集中度をシミュレーショによって分析した。
【０００７】
その結果、折り畳み式隔壁２０の垂直板２１およびコネクタ４０の周辺が構造的に脆弱であることと、垂直板２１の締結性に多少危険性が内在していることを見出した。
【０００８】
また、包装用箱を最終的に包装する場合にはバンディング作業を行うが、バンディング作業の後、包装用箱の変形および配送中の摩擦によりバンディングワイヤーが分離されるという問題点が発生する。
【０００９】
よって、バンディングワイヤーの離脱を防止する技術、および垂直板２１とコネクタ４０の構造的脆弱性は、必ず解決しなければならない緊急な問題である。
【先行技術文献】
【特許文献】
【００１０】
【特許文献１】韓国登録特許第１０−１１２１８９４号
【特許文献２】韓国登録特許第１０−１０９９４２７号
【特許文献３】韓国公開特許第１０−２０１４−００４２０３２号
【発明の概要】
【発明が解決しようとする課題】
【００１１】
本発明は、かかる問題点を解決するために創案されたもので、その目的は、垂直板とコネクタとのヒンジ部の強度を改善するために、コネクタと垂直板に締結される箇所にリップを追加する概念で垂直板の下端部に円形ガイドを追加し、前記円形ガイドまで挿入される締結ピン、垂直板とコネクタの一側部に角部を補強して一方向にのみ折り畳まれるようにすると同時に、折り畳み式隔壁への圧力に十分に耐えることが可能な構造を備えたことを特徴とする、包装用箱を提供することにある。
【００１２】
また、本発明の他の目的は、バンディングワイヤーの離脱を防止するカバーを備えた包装用箱を提供することにある。
【課題を解決するための手段】
【００１３】
上記目的を達成するために、本発明は、ＲＦＩＤチップを備えたパレットと、前記パレットの上端部に多数積層され、締結装置を備えた折り畳み式隔壁と、前記折り畳み式隔壁の上端部を覆うカバーとを含んでなる包装用箱において、前記折り畳み式隔壁は、対向する２つの垂直平板と；前記垂直平板の両端部にヒンジ締結される垂直板と；前記垂直板と他の垂直板とをヒンジ締結で連結するコネクタと；前記ヒンジ締結のためのピンと；を含み、前記垂直板とコネクタは一方向にのみ折り畳みが可能となるように一側部に角部を構成し、前記垂直平板および垂直板の下端部には締結突起板を、上端部には前記締結突起板に嵌合される締結突起溝をそれぞれ構成し、 前記垂直板の下端部には円形ガイドを構成し、前記垂直板とコネクタとをヒンジ締結するピンは円形ガイド内に位置することを特徴とする、包装用箱を提供する。
【００１４】
また、コネクタ付近の強度をさらに改善するために、本発明は、前記折り畳み式隔壁の垂直板の一側部に形成されたスライディングガイドと、前記スライディングガイドに挿入されて水平移動するスライディングハンドルとをさらに含み、前記折り畳み式隔壁を広げて使用する場合には、垂直板と他の垂直板との間に位置してコネクタ部分の強度を補強することを特徴とする、包装用箱を提供する。
【００１５】
また、本発明の折り畳み式隔壁の締結装置は、垂直平板の一側部に締結装置を収容するポケットと、前記ポケットに収容され、下端部に締結のための鉤、一側部にロックをそれぞれ備えた締結装置ボディと、前記ポケットに締結され、一側部にスライディングガイドとロック突起を備えた締結装置カバーとを含み、前記締結装置の締結状態を表示するために、締結装置ボディの一側部に２つ以上の色相部を備え、前記締結装置ボディのロックと前記締結装置カバーのロック突起の構成によって締結装置の作動状態をロッキングすることを特徴とする、包装用箱を提供する。
【００１６】
また、包装用箱をバンディングするときにバンディングワイヤーとの締結性を高めるために、本発明は、カバーの上端部と側面部に多数のバンディング溝を備えたことを特徴とする、包装用箱を提供する。
【発明の効果】
【００１７】
本発明の包装用箱は、輸出包装用箱であって、次のような効果を提供する。
【００１８】
第一に、本発明は、プラスチック製折り畳み式多段箱であって、耐久性に優れるうえ、破損しない限り、半永久的に使用可能であって、使い捨ての木材箱に比べて環境問題がなく、物流費用低減効果を持つ。
【００１９】
第二に、本発明は、ＲＦＩＤチップを内蔵したパレットにより世界何処でも回収が可能であり、入出庫の管理、在庫現況の把握および配送履歴の管理が可能である。
【００２０】
第三に、本発明は、垂直板に円形ガイドを追加し、垂直板およびコネクタの一側部に角部を追加し、垂直板とコネクタとをヒンジ締結するピンが円形ガイドまで挿入される構造によって脆弱な折り畳み部の強度を改善し、高重量または流動性の物質も安全に輸送可能である。
【００２１】
第四に、本発明は、積層される折り畳み式隔壁の締結装置のロッキング技術および索引性を追加することにより、作業者が容易に締結状態を確認することができ、安全事故を予防する効果を持つ。
【００２２】
第五に、本発明は、カバーのバンディング溝により、包装用箱の締結性を改善し、配送中のバンディングワイヤーの離脱を防止する。
【図面の簡単な説明】
【００２３】
【図１】包装用箱の構造解析（Ａ）と応力集中（Ｂ）のシミュレーションを示す斜視図である。
【図２】本発明の好適な一実施例を示す斜視図である。
【図３】底面方向からみた折り畳み式隔壁の斜視図である。
【図４】折り畳み式隔壁の詳細図である。
【図５】垂直板の細部詳細図である。
【図６】本発明（Ａ）の垂直板と従来の技術（Ｂ）の垂直板とを比較して示す底面図である。
【図７】折り畳み式隔壁のスライディングハンドルの構成（Ａ）および作動状態図（Ｂ、Ｃ）である。
【図８】バンディングした包装用箱の一実施例を示す図である。
【図９】締結装置の構成（Ａ）および作動状態図（Ｂ、Ｃ）である。
【図１０】締結装置のロッキング（ｌｏｃｋｉｎｇ）構成要素の斜視図である。
【発明を実施するための形態】
【００２４】
以下、添付図面を参照しながら、本発明の実施例について、本発明の属する技術分野における通常の知識を有する者が容易に実施し得るように詳しく説明する。しかし、本発明は、様々な相異なる形態に実現でき、ここで説明する実施例に限定されるものではない。
【００２５】
本発明を明確に説明するために説明と関係のない部分は省略し、明細書全体にわたって同一または類似する構成要素については同一の参照符号を付する。
【００２６】
また、図面に示された各構成の大きさおよび厚さは、説明の便宜のために任意に示したので、本発明は必ずしも示されたものに限定されるのではない。図面において、多くの部分および領域を明確に表現するために厚さを拡大して示した。
【００２７】
本発明は、本出願人が先出願した韓国登録特許第１０−１１２１８９４号に追加された内容のみを開示し、コネクタ４０部分の強度を高めるための技術、折り畳み式隔壁２０の締結装置６０の構造および索引性追加技術、並びにバンディング締結性が改善されたカバーを中心に開示しようとする。
【００２８】
図１は包装用箱１００の構造解析（Ａ）と応力集中（Ｂ）のシミュレーショを示す斜視図である。図１に示すように、従来の技術の包装用箱の構造解析および応力集中度を分析したシミュレーション結果、従来の技術の問題点は、折り畳み式隔壁２０の垂直板２１とコネクタ４０の周辺が構造的に脆弱であることを確認した。
【００２９】
よって、本発明は、コネクタ４０部分の強度を改善するために、
１）コネクタ４０と垂直板２１に締結される箇所にリップを追加する概念で垂直板２１の下端部に円形ガイド２６を追加し、
２）前記円形ガイド２６まで締結ピン４１が挿入される構造と、
３）垂直板２１およびコネクタ４０の一側部に角部２８を補強して一方向に折り畳まれるようにすると同時に、折り畳み式隔壁への圧力に十分に耐えることが可能な構造を備えたことが特徴である。
【００３０】
また、折り畳み式隔壁２０の締結装置の締結性および索引性追加技術を開示しようとする。
【００３１】
図２は本発明の好適な一実施例を示す斜視図である。
【００３２】
本発明は、包装用箱１００に係り、より詳しくは、 輸出包装用折り畳み式多段箱であって、ＲＦＩＤチップ１１を備えたパレット１０と、前記パレット１０の上端部に多数積層され、締結装置６０を備えた折り畳み式隔壁２０と、前記折り畳み式隔壁２０の上端部を覆うカバー３０とを含む。
【００３３】
本発明の包装用箱は、合成樹脂材質からなり、耐久性に優れるため、破損されない限り半永久的に再使用が可能であって、使い捨ての木材箱に比べて環境問題がなく、物流費用低減効果を有する。
【００３４】
また、ＲＩＦＤチップを内蔵したパレット１０により、世界何処でも回収が可能であり、入出庫の管理、在庫現況の把握および配送履歴の管理が可能である。
【００３５】
図３は折り畳み式隔壁２０を底面方向からみた斜視図、図４は折り畳み式隔壁２０の詳細図である。
【００３６】
本発明は、ＲＦＩＤチップ１１を備えたパレット１０と、前記パレット１０の上端部に多数積層され、締結装置６０を備えた折り畳み式隔壁２０と、前記折り畳み式隔壁２０の上端部を覆うキャップ３０とを含む包装用箱１００において、 前記折り畳み式隔壁２０は、対向する２つの垂直平板２３と；前記垂直平板２３の両端部にヒンジ締結される垂直板２１と；前記垂直板２１と他の垂直板２１とをヒンジ締結で連結するコネクタ４０と、前記ヒンジ締結のためのピン４１とを含み、前記垂直板２１とコネクタ４０は一方向にのみ折り畳みが可能となるように一側部に角部２８を構成し、前記垂直平板２３および垂直板２１の下端部には締結突起板２５、上端部には前記締結突起板２５に嵌合される締結突起溝２７をそれぞれ構成し、前記垂直板２１の下端部には円形ガイド２６を構成し、前記垂直板２１とコネクタ４０とをヒンジ締結するピン４１は円形ガイド内に挿入されることを特徴とする。
【００３７】
前記垂直平板２３の一側部に一つ以上のハンドル２４を備えることが好ましい。
【００３８】
前記垂直平板２３および垂直板２１の下端部には多数の締結突起板２５、上端部には前記締結突起板２５に嵌合される締結突起溝２７をそれぞれ備える。
【００３９】
前記締結突起板２５と締結突起溝２７の構成によって折り畳み式隔壁２０が積層されながら締結される。
【００４０】
前記締結突起板２５と締結突起溝２７は、折り畳み式隔壁２０を完全に締結することはできない。
【００４１】
よって、折り畳み式隔壁２０を締結するために、前記垂直平板２３の一側部に一つ以上の締結装置６０を備えることが好ましい。
【００４２】
図５は垂直板２１の細部詳細図である。
【００４３】
図１のＢに示すように、包装用箱１００のコネクタ４０付近に応力集中が発生し、前記周辺では膨らみ現象が著しく発生する。
【００４４】
よって、コネクタ４０を中心に応力集中が発生するので、コネクタ４０と垂直板２１に締結される箇所にリップを追加する概念で垂直板２１の下端部に円形ガイド２６を追加することが好ましい。
【００４５】
また、前記円形ガイド２６まで締結ピン４１が挿入され、円形ガイド２６と締結ピン４１によって、積層された垂直板２１同士が連結される構造を持つことが、折り畳み式隔壁２０の耐圧性を高める。
【００４６】
図７は折り畳み式隔壁２０のスライディングハンドルの構成（Ａ）および作動状態図（Ｂ、Ｃ）である。
【００４７】
図７に示すように、本発明では、前記折り畳み式隔壁２０の垂直板２１の一側部に形成されたスライディングガイド５１と；前記スライディングガイド５１に挿入されて水平移動するスライディングガイド５２と；をさらに含み、折り畳み式隔壁２０を広げて使用する場合には、垂直板２１と他の垂直板２１との間に位置してコネクタ３０部分の強度を補強することを特徴とする。
【００４８】
前記スライディングガイド５１は、スライディングハンドル５２の位置を固定するロック装置を備えることが好ましい。
【００４９】
前記スライディングハンドル５２は、折り畳み式隔壁２１が広げられる場合にはコネクタ４０部分に位置し、折り畳み式隔壁２０が折り畳み式で折り畳まれる場合には一方の垂直板２１に位置する構造を持つことが好ましい。
【００５０】
円形ガイド２６と締結ピン４１の構成が、積層された上下の垂直板２１の締結性を高めて耐圧性を高める技術であれば、前記垂直板２１のスライディングガイド５１およびスライディングハンドル５２は水平な垂直板２１の締結製を高める技術である。
【００５１】
図６は本発明（Ａ）の垂直板２１と従来の技術（Ｂ）の垂直板２１とを比較して示す底面図である。
【００５２】
前記垂直板２１とコネクタ４０は、一方向にのみ折り畳みが可能となるように一側部に角部２８を備えることが好ましい。
【００５３】
従来の技術の垂直板２１は、図６のＢに示すように、両端部が円形に形成されるため、折り畳み式隔壁２０に収容される物質から伝達される圧力に脆弱な構造を持っていた。
【００５４】
前記垂直板２１は、折り畳み式構造であるが、一方向にのみ折り畳まれれば済む構造なので、折り畳まれる方向でのみ円形を維持し、反対側では四角形を維持して角部２８を備えることにより、折り畳み式隔壁２０の内部に加えられる圧力に対して垂直平板２３と垂直板２１との接触面積の増加によってヒンジ締結部における強度を改善する効果を持つ。
【００５５】
図８はバンディングした包装用箱１００の一実施例である。
【００５６】
図８に示すように、通常、包装用箱は、最終的に一定の幅を有するワイヤーを用いてパレット１０、多段に積層された折り畳み式隔壁２０およびカバー３０をバンディングして仕上げ包装を行う。
【００５７】
本発明では、前記包装用箱１００をバンディングするとき、バンディングワイヤーとの締結性を高めるために、前記カバー３０の上端部および側面部に多数のバンディング溝３１を備えたことを特徴とする。
【００５８】
前記バンディング溝３１は、垂直方向又は水平方向に形成されることが好ましいが、収容される物質に応じて対角線方向のように様々に変更されることもある。
【００５９】
前記カバー３０のバンディング溝３１は、包装用箱１００の締結性を改善し、配送中のバンディングワイヤーの離脱を防止する効果を持つ。
【００６０】
図９は締結装置６０の構成（Ａ）および作動状態図（Ｂ、Ｃ）であり、図１０は締結装置６０のロッキング構成要素の斜視図である。
【００６１】
本発明において、多段に積層される折り畳み式隔壁２０を締結するための締結装置６０は、垂直平板２３の一側部に締結装置６０を収容するポケット６８と、前記ポケット６８に収容され、下端部に締結のための鉤６７、一側部にロック６５をそれぞれ備えた締結装置ボディ６１と、前記ポケット６８に締結され、一側部にスライディングガイドとロック突起６６を備えた締結装置ボディ６２とを含むが、前記締結装置の締結状態を表示するために、締結装置ボディ６１の一側部に２つ以上の色相部６３を備え、前記締結装置ボディ６１のロック６５と前記締結装置カバー６２のロック突起６６の構成によって締結装置６０の作動状態をロッキングすることを特徴とする。
【００６２】
前記締結装置６０は手動で駆動することが特徴である。
【００６３】
弾性部材を用いたワンタッチ方式の締結装置を一般に多く使用するが、ワンタッチ方式の締結装置は必ず２名以上の作業者が同時に締結装置を作動しなければならない煩わしさが発生する。
【００６４】
よって、折り畳み式隔壁２０の締結装置６０は手動で水平移動する構造を持つことが好ましい。
【００６５】
前記締結装置６０は、垂直平板２３と垂直平板２３、または垂直平板２３とパレット１０を締結する。
【００６６】
前記締結装置６０は、垂直平板２３の一側部に締結装置６０を収容するポケット６８と；前記ポケット６８に収容され、下端部に締結のための鉤６７、一側部にロック６５をそれぞれ備えた締結装置ボディ６１と；前記ポケット６８に締結され、一側部にスライディングガイドとロック突起６６を備えた締結装置カバー６２と；を含む。
【００６７】
前記締結装置ボディ６１は、中空の四角形状を有し、下端部に締結のための鉤６７を備え、中央部の中空は作業者の締結装置ボディ６１を水平移動させることができるようにする。
【００６８】
前記締結装置ボディ６１のフレームは、２つ以上の色相部６３を備えることが好ましい。
【００６９】
図９のＢは締結装置６０が解除された状態の一実施例であり、図９のＣは締結装置６０のロッキング状態の一実施例である。
【００７０】
図９のＢおよび図９のＣに示すように、前記色相部６３は、締結装置ボディ６１の位置情報を容易に確認することが可能な索引性を与える。よって、作業者が締結か否かを容易に判別することができて作業効率性を改善することができ、未締結による安全事故を予防することができる。
【００７１】
前記締結装置ボディ６１の鉤６７は、垂直平板２３の上端部の締結溝２９に締結される。
【００７２】
前記締結装置ボディ６１のロック６５は、締結装置カバー６２のロック突起６６によって移動状態がロッキングされ、前述の構成によって、締結装置６０のロック解除時またはロック時にカタカタ音もする。
【符号の説明】
【００７３】
１０    パレット
２０    折り畳み式隔壁
２１    垂直板
２３    垂直平板
２４    ハンドル
２５    締結突起板
２６    円形ガイド
２７    締結突起溝
２８    角部
２９    締結溝
３０    カバー
３１    バンディング溝
４０    コネクタ
４１    ピン
５１    スライディングライン
５２    スライディングハンドル
６０    締結装置
６１    締結装置ボディ
６２    締結装置カバー
６３    色相部
６５    ロック
６６    ロック突起
６７    鉤
６８    ポケット
１００    包装用箱
【要約】      （修正有）【課題】カバーのバンディング溝、垂直板の形状および円形ガイドを追加して剛性を高めたうえ、締結装置の操作性および索引性を向上させた輸出包装用折り畳み式多段箱を提供する。【解決手段】包装用箱において、折り畳み式隔壁２０は、対向する２つの垂直平板２３と；前記垂直平板の両端部にヒンジ締結される垂直板２１と；前記垂直板と他の垂直板とをヒンジ締結で連結するコネクタ４０と、前記ヒンジ締結のためのピン４１とを含み、前記垂直板と前記コネクタは一方向にのみ折り畳みが可能となるように一側部に角部を構成し、前記垂直平板および垂直板の下端部には締結突起板２５、上端部には前記締結突起板に嵌合される締結突起溝をそれぞれ構成し、前記垂直板の下端部には円形ガイド２６を構成し、前記垂直板とコネクタとをヒンジ締結するピンは円形ガイド内に位置することを特徴とする。【選択図】図３【図１】
0005873156.tif 000002
【図２】
0005873156.tif 000003
【図３】
0005873156.tif 000004
【図４】
0005873156.tif 000005
【図５】
0005873156.tif 000006
【図６】
0005873156.tif 000007
【図７】
0005873156.tif 000008
【図８】
0005873156.tif 000009
【図９】
0005873156.tif 000010
【図１０】
0005873156.tif 000011